(57)【要約】【課題】凹溝付きの枠体をレール部付きの枠体に容易に交換できる。【解決手段】建具は、既設の枠体に走行可能な雨戸パネル２を取り付けた。枠体の下枠の凹溝にレール部１０を設置して固定ねじで固定した。レール部１０は基板１０ａに起立するレール１０ｂを設けている。凹溝におけるレール部１０の戸袋側に傾斜板１４を固定した。傾斜板１４は両端に第一傾斜面と第二傾斜面１４ｂを形成し、第二傾斜面１４ｂの裏面に第１凹部１４ｃを形成した。レール部１０の端部の基板１０ａを第二傾斜面１４ｂの下側の第１凹部１４ｃに挿入し、レール１０ｂを第二傾斜面１４ｂのスリット２０で嵌合した。雨戸パネルは傾斜板１４を介してレール部１０上を走行し移動する。【選択図】図８
2019019542.tif 000002
【特許請求の範囲】
【請求項１】
既設の枠体に走行可能な障子を取り付けてなる建具において、
前記枠体の下枠に形成された凹溝に前記障子走行用のレール部を設置したことを特徴とする建具。
【請求項２】
前記下枠におけるレール部の戸袋側に傾斜部材が設置され、前記傾斜部材はその長手方向両端が下り傾斜面に形成されている請求項１に記載された建具。
【請求項３】
前記障子の下側角部から前記障子の下部に固定された戸車までの長さに対して、前記傾斜部材の前記レール部からの長さが同一またはそれ以上に設定されている請求項２に記載された建具。
【請求項４】
前記傾斜部材の一端部に形成されたスリットが前記レール部に設けたレールに係合されている請求項２または３に記載された建具。
【請求項５】
前記枠体の縦枠と下枠に設置されたレール部との間に隙間が形成されている請求項１から４のいずれか１項に記載された建具。
【請求項６】
前記下枠には室外側で起立する上片部が設けられ、前記レール部の室外側端部が前記上片部に当接している請求項１から５のいずれか１項に記載された建具。
【請求項７】
前記下枠には室外側で下方に延びる下片部が設けられ、前記下枠の裏面に裏板を設置すると共に前記裏板の室外側端部が前記下片部に当接している請求項１から６のいずれか１項に記載された建具。
【請求項８】
既設の枠体の下枠に傾斜部材を固定する工程と、
前記傾斜部材の一端部に設けたスリットをレール部のレールに係合させて前記レール部を下枠に固定する工程と、
を備えたことを特徴とする建具の改装方法。
【請求項９】
前記スリットを前記レール部のレールに係合させた後で、前記下枠の室外側で起立する上片部に前記レール部を当接させる請求項８に記載された建具の改装方法。
【請求項１０】
既設の枠体の下枠にレール部を固定する工程と、
前記レール部のレールに一端部に設けたスリットを係合させて傾斜部材を前記下枠に固定する工程と、
を備えたことを特徴とする建具の改装方法。
【発明の詳細な説明】
【技術分野】
【０００１】
本発明は、枠体の下枠と雨戸パネル等を含む障子とを改装した建具及び建具の改装方法に関する。
【背景技術】
【０００２】
従来、既設の住宅をリフォームすることが広く行われている。
特許文献１に記載された発明では、既存の窓の屋外側に雨戸用の枠体を張り出して取り付けている。この雨戸の下枠には雨戸走行用レールが一体に形成されている。このようなリフォーム構造は障子の外側に雨戸が設置された構造の既設建具の改装には採用できない。
【０００３】
従来の予め雨戸が設置された建具では、既設の枠体において障子の屋外側に設けられた下枠の凹溝に雨戸が開閉可能に設置されたものが知られている。このような雨戸は下枠と戸車の接地面が大きく雨戸の開閉操作に大きな抵抗が生じるため、レール部が設けられた下枠を有する枠体に交換する改装（リフォーム）が行われている。
【先行技術文献】
【特許文献】
【０００４】
【特許文献１】特開２０１６−８４６２８号公報
【発明の概要】
【発明が解決しようとする課題】
【０００５】
しかしながら、上述した凹溝付きの下枠及び上枠を有する枠体を特許文献１に記載されたようにレール付きの枠体に交換することは施工の手間がかかる上にコスト高になるという欠点があった。
【０００６】
本発明は、このような実情に鑑みてなされたものであり、凹溝付きの枠体をレール付きの枠体に容易に改装できるようにした建具及び建具の改装方法を提供することを目的とする。
【課題を解決するための手段】
【０００７】
本発明に係る建具は、既設の枠体に走行可能な障子を取り付けてなる建具において、枠体の下枠に形成された凹溝に障子走行用のレール部を設置したことを特徴とする。
本発明によれば、既設の枠体を取り外して交換することなく、既設の下枠の凹溝にレール部を固定することで簡単に改装できる。
【０００８】
また、下枠におけるレール部の戸袋側に傾斜部材が設置され、傾斜部材はその長手方向両端が下り傾斜面に形成されていることが好ましい。
両端が下り傾斜になった傾斜部材をレール部の戸袋側に設置することで、下枠の凹溝等から走行する障子が一方の下り傾斜面から傾斜部材上に移動し、更に他方の下り傾斜面に沿ってレール部に移動するため、レール部と凹溝との段差に障子が衝突することなくスムーズに往復移動できる。
【０００９】
また、障子の下側角部から障子の下部に固定された戸車までの長さに対して、傾斜部材のレール部からの長さが同一またはそれ以上に設定されていることが好ましい。
傾斜部材の長さ（Ｍ）を障子の下側角部から戸車までの長さ（Ｌ）以上に設定したため、障子が傾斜部材に乗る前に障子の下側角部がレール部に衝突することを防止できる。
【００１０】
また、傾斜部材の一端部に形成されたスリットがレール部に設けたレールに係合されていることが好ましい。
傾斜部材のスリットがレール部の端部に形成されたレールに係合することで、レール部を位置決めして障子がレール部と傾斜部材との間をスムーズに移動することができる。
【００１１】
また、枠体の縦枠と下枠に設置されたレール部との間に隙間が形成されていてもよい。
縦枠と下枠のレール部との間に隙間を形成することで、傾斜部材を凹溝に設置した後にレール部を縦枠との間で容易に取り付けできる。
【００１２】
また、下枠には室外側で起立する上片部が設けられ、レール部の室外側端部が上片部に当接していてもよい。
レール部の室外側端部を上片部に当接することで位置決めできる。
【００１３】
また、下枠には室外側で下方に延びる下片部が設けられ、下枠の裏面に裏板を設置すると共に裏板の室外側端部が下片部に当接していてもよい。
下枠の裏面に設置した裏板を下片部に当接させることで位置決めでき、レール部を下枠と裏板とに固定ねじ等で固定できる。
【００１４】
本発明による建具の改装方法は、既設の枠体の下枠に傾斜部材を固定する工程と、傾斜部材の一端部に設けたスリットをレール部のレールに係合させてレール部を下枠に固定する工程と、を備えたことを特徴とする。
本発明によれば、既設の枠体の下枠に傾斜部材を固定した後で、レール部を傾斜部材に係合するように下枠に取り付けて固定することで、レール部と傾斜部材の位置決めを容易に行えると共に、障子をレール部と傾斜部材との間でスムーズに移動させることができる。
【００１５】
また、スリットをレール部のレールに係合させた後で、下枠の室外側で起立する上片部にレール部を当接させてもよい。
【００１６】
本発明による建具の改装方法は、既設の枠体の下枠にレール部を固定する工程と、レール部のレールに一端部に設けたスリットを係合させて傾斜部材を下枠に固定する工程と、を備えたことを特徴とする。
この改装方法によっても、レール部と傾斜部材の位置決めを容易に行えると共に障子をレール部と傾斜部材との間でスムーズに移動させることができる。
【発明の効果】
【００１７】
本発明による建具によれば、既設の枠体の下枠の凹溝にレール部を設置したことで、下枠を交換することなくレール部を設置できるため施工時間が短縮される上に組み立てコストが低廉になるという利点がある。
【００１８】
また、本発明による建具の取付方法によれば、既設の枠体の下枠にレール部と傾斜部材を前後して固定し、しかもレール部の端部の段差に対して傾斜部材の先割れ部(スリット)をレールに嵌合させたため、障子は傾斜部材を介してレール部に移動させ走行させることができる。そのため、障子のスムーズな走行が可能になる。
【図面の簡単な説明】
【００１９】
【図１】本発明の実施形態による雨戸パネル用の枠体と戸袋を示す要部斜視図である。
【図２】図１において、雨戸パネルを除いた枠体と戸袋の枠部とを示す要部斜視図である。
【図３】図２に示す下枠と戸袋の底面を示す部分拡大図である。
【図４】下枠部分の長手方向に直交する断面図である。
【図５】下枠に設置したレール部を示すものであり、（ａ）は平面図、（ｂ）は側面図、である。
【図６】図５のＡ−Ａ線断面図である。
【図７】傾斜板を示すものであり、（ａ）は側面図、（ｂ）は同図（ａ）の両端部の拡大図、（ｃ）は平面図である。
【図８】下枠の凹溝に固定したレール部と傾斜板との係合部を示す図であり、（ａ）は平面図、（ｂ）は側面図である。
【図９】雨戸パネルの戸車と傾斜板とレール部との位置関係を示す要部説明図である。
【図１０】錠受け金具の平面図である。
【発明を実施するための形態】
【００２０】
以下、本発明の実施形態による雨戸パネルを既設の枠体に設置した改装用の建具について添付図面により説明する。
図１は本発明の実施形態による既設の建具１における引き違い障子(図示せず)の室外側に設置された雨戸パネル２とその枠体３を示すものであり、枠体３の隣には雨戸パネル２を収納する戸袋４が設置されている。枠体３と雨戸パネル２は例えばアルミ合金で製造されている。図１において戸袋４のカバー壁面は省略されている。図２は雨戸パネル２を除いた枠体３を示すものである。この枠体３は上枠６及び下枠７、そして左右の縦枠８とで四角形枠状に形成されており、例えば２枚の雨戸パネル２で閉鎖可能とされている。
【００２１】
本実施形態による建具１は、既設の枠体３と雨戸パネル２を改装したものであり、枠体３の下枠７における平坦な凹溝７ａ内に雨戸パネル２を走行させるためのレール部１０を設置した。雨戸パネル２の框体における下框１１にレール部１０を走行可能な戸車１２を所定間隔で複数設置したものである(図９参照)。改装前の枠体３では下枠７に形成した凹溝７ａ内を戸車１２を設置した雨戸パネル２が走行可能とされている。
既設の下枠７では、凹溝７ａと戸袋４の底面とが分離されている場合があるが、この場合に凹溝７ａと戸袋４の底面との境目にジョイントブロックを設置してねじ等で固定されている。
【００２２】
図２乃至図４に示す既設の下枠７において、既設の下枠７の凹溝７ａは図４に示すように所定幅で延びており、凹溝７ａ上にレール部１０が後付けレール部として設置されている。凹溝７ａにおいてレール部１０の戸袋側に例えば略長板状の傾斜板１４が設置され、レール部１０と傾斜板１４は端部同士が互いに係合されて直線状に固定されている。レール部１０は戸袋４と反対側の縦枠８との間に隙間ｓが形成されている。傾斜板１４の戸袋４側の端部は戸袋４近傍に位置し、戸袋４に進入していない。
下枠７の凹溝７ａにおける傾斜板１４の設置位置は戸袋４側近傍の適宜位置に決定できる。これによってレール部１０の固定位置を特定できる。傾斜板１４は一部が戸袋４内の底面に進入していてもよいが、戸袋４内に収納した雨戸パネル２の一部が傾斜板１４の上に載って傾くので好ましくない。
【００２３】
図４において、下枠７はその幅方向が室外側に延びていて上片部７ｂと下片部７ｃとに分岐されている。上片部７ｂは略Ｌ字状に屈曲して下枠７の上面に凹溝７ａが形成されている。下枠７の下片部７ｃは下方に延びていて略Ｌ字状に形成されている。下枠７の下片部７ｃには断面略Ｌ字状の裏板１５が設置され、雌ねじの切られた穴部が形成されている。
レール部１０は固定ねじ１６によって下枠７の凹溝７ａ及び裏板１５の雌ねじを形成した各穴部に捩じ込まれて固定されている。下枠７の凹溝７ａの穴部だけでは板厚が薄く固定ねじ１６の締め込み不足であるため、裏板１５を装着してその穴部にも雌ねじを切ってレール部１０を固定している。
【００２４】
なお、下枠７の室内側部分には例えば引き違い障子を取り付ける図示しないレール部等が設置されている。裏板１５はレール部１０の長手方向に沿って下枠７の裏面に所定間隔で複数設置されており、レール部１０を下枠７の凹溝７ａに固定ねじ１６で固定する位置に設置することが好ましい。
図５及び図６はレール部１０を示すものであり、帯状の基板１０ａの略中央に垂直に起立するレール１０ｂが設けられ、その上端部に拡径部を有している。基板１０ａにおいて、レール１０ｂの両側には所定間隔でねじ止め用の穴部が形成されている。基板１０ａの裏面には幅方向における室内側端部に第一脚部１０ｃが形成され、室外側端部の近傍に第二脚部１０ｄが形成されている。レール部１０は２本の第一脚部１０ｃ、第二脚部１０ｄによって凹溝７ａ内に支持され固定されている。
【００２５】
図７は傾斜板１４を示すものである。傾斜板１４は雨戸パネル２を下枠７に沿って戸袋４から引き出した場合に、改装で設置したレール部１０の端部に衝突することを防いでスムーズにレール部１０上に移動させるためのものである。傾斜板１４は略長板状に形成され、その長手方向中間部にねじ止め用の穴部１４ｄが形成され、その両端部になだらかな傾斜の第一傾斜面１４ａと第二傾斜面１４ｂとが形成されている。第一傾斜面１４ａは戸袋４側に設置されたものであり、例えば５°の傾斜角で先端部が円筒面状に形成されていて戸袋４の底面側から雨戸パネル２がスムーズに乗り上げる。第二傾斜面１４ｂはレール部１０側に設置されたものであり、第一傾斜面１４ａと同様に例えば５°の傾斜角で先端部が円弧状に形成されている。
【００２６】
傾斜板１４の裏面には第二傾斜面１４ｂから第一傾斜面１４ａに向けて所定間隔で第１凹部１４ｃ、第２凹部１４ｅが複数形成されている。第二傾斜面１４ｂの裏面の第１凹部１４ｃはレール部１０の基板１０ａに乗り上げることで段差を小さく設定できる。第一傾斜面１４ａには凹部は形成されていない。第二傾斜面１４ｂを除く傾斜板１４の裏面側に所定間隔で複数の第２凹部１４ｅを形成することで下枠７や雨戸パネル２等に雨等が吹き付けた際に第２凹部１４ｅに雨水を貯留可能である。しかも、下枠７の上片部７ｂに形成された排水用の切欠部を通して外部に排水できる。
傾斜板１４は第二傾斜面１４ｂにレール部１０のレール１０ｂ端部を嵌合させるための略Ｖ字状のスリット２０が形成され、挿入容易なように切り込みの角度を先端側に向けて広げて形成されている。傾斜板１４の第二傾斜面１４ｂは、図８に示すように、レール部１０の戸袋４側の端部において第１凹部１４ｃで基板１０ａに乗り上げると共にレール１０ｂをスリット２０に嵌め込んで係合されている。第二傾斜面１４ｂとその裏面の第１凹部１４ｃは略同一長さに設定されているが、異なっていてもよい。
【００２７】
次に、図９により傾斜板１４の長さについて説明する。
雨戸パネル２の下框１１には下面に戸車１２が設置され、更に下面にはレール部１０のレール１０ｂを受け入れて走行するためのレール溝１８が形成されている。ここで、雨戸パネル２の縦框１９と下框１１が当接する下側角部から戸車１２までの長さをＬとし、傾斜板１４の第一傾斜面１４ａの端部からレール部１０との係合部（第二傾斜面１４ｂ）までの長さをＭとすると、Ｌ≦Ｍの関係に設定されている。
Ｌ≦Ｍの関係を満足すれば、雨戸パネル２が傾斜板１４に乗った後でレール部１０のレール１０ｂに出会うため、雨戸パネル２はレール溝１８がレール１０ｂに嵌り込んでまたは重なってガイドされ、戸車１２がレール１０ｂ上をスムーズに走行できる。レール溝１８は縦框１９の下面に形成された第一レール溝１８ａと下框１１の下面に形成された第二レール溝１８ｂとで直線状に形成されている。
【００２８】
これに対し、仮に長さＬが傾斜板１４の長さＭより短いと、雨戸パネル２を戸袋４から下枠７に移動させる際、雨戸パネル２が傾斜板１４に乗る前の低い位置で縦框１９の下側角部がレール部１０のレール１０ｂに衝突する恐れがある。
また、雨戸パネル２を縦枠８に当接するまで移動させた状態で、隙間ｓよりも雨戸パネル２の縦框１９から戸車１２までの長さＬの方が長く設定されている。そのため、凹溝７ａに隙間ｓがあっても戸車１２がレール１０ｂから外れることはない。
なお、上枠６に形成した凹溝内に雨戸パネル２の上框が収納され、凹溝の上端との間に間隙が形成されているため、レール部１０を設けなくても雨戸パネル２の走行に悪影響を与えない。
【００２９】
図１０は錠受け金具２１を示すものであり、既設の下枠７の閂穴(図示せず)が形成された位置に閂溝２２が位置するように、レール部１０のレール１０ｂより内側の基板１０ａに重ねて固定されている。錠受け金具２１において閂溝２２の両側に形成された長穴を通して固定ねじ１６で下枠７に固定されている。一方、雨戸パネル２の下框１１にも進退可能な閂棒(図示せず)が設置され、閂棒を錠受け金具２１の閂溝２２を通して閂穴に装着することで施錠可能とされている。
【００３０】
本実施形態による改装用の建具１は上述した構成を備えており、次に建具１の改装方法について説明する。
既設の建具１の枠体３において、図２及び図３に示すように、下枠７に形成された凹溝７ａの戸袋４側の端部近傍に傾斜板１４を設置し、凹部１４ｃのない肉厚部に形成した穴部１４ｄを通して固定ねじ１６で固定する。これによって、下枠７の凹溝７ａにおけるレール部１０の設置位置を決定できる。しかも、レール部１０の長さよりも下枠７の凹溝７ａにおける縦枠８と傾斜板１４との距離の方が長く設定されている。
【００３１】
次に、縦枠８と傾斜板１４との間の凹溝７ａにレール部１０を配設する。レール部１０を縦枠８側から傾斜板１４側にずらしてその端部の基板１０ａを第二傾斜面１４ｂの凹部１４ｃの下側に潜り込ませると共に、垂直に起立するレール１０ｂを第二傾斜面１４ｂのスリット２０に嵌合する位置まで押し込む。下枠７の室外側に設けた上片部７ｂにレール部１０の室外側端部を当接させて位置決めする。
これによって、図３及び図８に示すように、レール部１０の一端の上部に傾斜板１４の第二傾斜面１４ｂが乗り上げた係合構造になり、レール部１０が位置決めされる。
【００３２】
この状態で、レール部１０の戸袋４と反対側の端部と縦枠８との間に隙間ｓが残っている。そして、図４に示すように、下枠７の凹溝７ａの裏面側に裏板１５を当接させて、裏板１５の室外側端部を下枠７の下片部７ｃに当接させて位置決めする。そして、基板１０ａの穴から固定ねじ１６を挿入して下枠７及び裏板１５の穴部の雌ねじに捩じ込み固定する。
裏板１５の取り付けと固定ねじ１６による捩じ込みはレール部１０の長手方向に沿って所定間隔で例えば千鳥配置で行う。雨戸パネル２も縦框１９及び下框１１に戸車１２を装着して深いレール溝１８を形成したものに交換するか、戸車１２を備えた既設の雨戸パネル２をそのまま使用する。これによって、下枠７の改装が終了する。
【００３３】
このように改装された建具１において、雨戸パネル２を開閉操作する場合、次のように行われる。
雨戸パネル２を閉鎖作動する際、戸袋４から引き出した雨戸パネル２を下枠７の凹溝７ａにおける第一傾斜面１４ａに沿って傾斜板１４上に移動させる。これによって雨戸パネル２は傾斜板１４の厚み分だけ高さが高くなる。しかも、Ｌ≦Ｍの関係にあるから、傾斜板１４に上る前の凹溝７ａまたは戸袋４内の底面上に戸車１２が位置する状態で雨戸パネル２の下側角部である縦框１９がレール部１０に衝突することを阻止できる。
【００３４】
雨戸パネル２は戸車１２が傾斜板１４に上った状態で前進して、第二傾斜面１４ｂからレール部１０上に移行してわずかに下方移動し、レール１０ｂに縦框１９及び下框１１のレール溝１８が挿入されて戸車１２がレール１０ｂ上を走行する。そして、雨戸パネル２の縦框１９が縦枠８に当接した位置で停止する。他の雨戸パネル２も同様に傾斜板１４及びレール部１０上を移動させることで枠体３を雨戸パネル２で閉鎖でき、閂棒を操作して錠受け金具２１の閂溝２２を通して閂穴に装着することで施錠できる。また、雨戸パネル２を開放作動させる場合には逆の操作をすればよい。
【００３５】
上述のように本実施形態による改装用の建具１及びその改装方法によれば、既設の枠体３の下枠７の凹溝７ａにおいてレール部１０及び傾斜板１４を設置することで改装ができる。そのため、枠体３を交換する従来の改装用の建具や改装方法と比較して改装が簡単で短時間で行えるという利点がある。
また、下枠７の凹溝７ａのレール部１０上に雨戸パネル２を取り付けて戸車１２で走行させるために、摩擦抵抗が小さく開閉操作に要する力を軽量化できる。
【００３６】
また、傾斜板１４の第二傾斜面１４ｂをレール部１０の基板１０ａに載せてスリット２０をレール１０ｂに嵌合させて固定したため、凹溝７ａに後付したレール部１０の端部に段差があっても傾斜板１４とレール部１０との間で雨戸パネル２をスムーズに移動できる。
更に、凹溝７ａ内の戸袋４側近傍に先に傾斜板１４を固定してレール部１０の取り付け位置を規定したため、レール部１０の位置ずれを防ぐことができる上に、既設の縦枠８とレール部１０との間に隙間ｓを形成したため、傾斜板１４の後にレール部１０を取り付けることが容易であり、改装作業が容易に行える。
【００３７】
以上、本発明の実施形態による建具１の枠体３と雨戸パネル２の改装構造と改装方法について詳細に説明したが、本発明は上述の実施形態に限定されることはなく、本発明の要旨を逸脱しない範囲で適宜の変更や置換等が可能であり、これらはいずれも本発明に含まれる。以下に、本発明の変形例等について説明するが、上述した実施形態と同一または同様な部分、部材には同一の符号を用いて説明を省略する。
【００３８】
例えば、上述した実施形態では、既設の枠体３の下枠７の凹溝７ａに傾斜板１４を先に設置して、その後にレール部１０を設置して係合させたが、この改装方法に代えて先にレール部１０を設置してその後に傾斜板１４を設置してもよい。この場合でも同様な建具１の改装構造が得られる。
この場合には、下枠７の凹溝７ａ上で縦枠８とレール部１０との間に隙間ｓを形成しなくてもよい。
【００３９】
上述した実施形態では、既設の枠体３の下枠７に形成された凹溝７ａにレール部１０を設置したが、下枠７に凹溝７ａが形成されていない平坦な面を設けていてもよい。
上述した実施形態では既設の建具１に用いる改装用のレール部１０及び傾斜板１４と雨戸パネル２について説明したが、本発明はリフォーム用に限定されるものではなく、新設用の雨戸パネル２にも適用できる。
上述した実施形態では既設の下枠７の凹溝７ａにレール部１０と傾斜板１４を互いに係合させて設置固定したが、本発明は必ずしも傾斜板１４を設置しなくてもよく、下枠の凹溝７ａに改装固定したレール部１０上を雨戸パネル２等が走行可能である。
【００４０】
傾斜板１４は傾斜部材に含まれ、傾斜板１４の第二傾斜面１４ｂは必ずしもレール部１０の端部に係合していなくてもよい。例えば、第二傾斜面１４ｂの先端がレール部１０の端部に当接または近接していれば、雨戸パネル２の戸車１２によってスムーズにレール部１０と傾斜板１４の間を移動できる。
また、本発明において下枠７の改装用のレール部１０を走行可能な雨戸パネル２について説明したが、雨戸パネル２に限定されることなく、引き違い障子等の各種の障子を備えた建具１に適用できる。
【符号の説明】
【００４１】
１  建具
２  雨戸パネル
７  下枠
７ａ  凹溝
８  縦枠
１０  レール部
１０ａ  基板
１０ｂ  レール
１４  傾斜板
１４ａ  第一傾斜面
１４ｂ  第二傾斜面
１４ｃ  第１凹部
１４ｅ  第２凹部
１５  裏板
１６  固定ねじ
２０  スリット
ｓ  隙間
【図１】
2019019542.tif 000003
【図２】
2019019542.tif 000004
【図３】
2019019542.tif 000005
【図４】
2019019542.tif 000006
【図５】
2019019542.tif 000007
【図６】
2019019542.tif 000008
【図７】
2019019542.tif 000009
【図８】
2019019542.tif 000010
【図９】
2019019542.tif 000011
【図１０】
2019019542.tif 000012